(57)【要約】【課題】誤って灰皿が回転することを防止し、ゴミを回収する際には灰皿を容易に回転させる。【解決手段】灰皿２１は、使用位置とゴミ回収位置との間で回転自在に軸受部２３に取り付けられている。回動レバー３６は、ピン３７により前面扉１２の側面に回転自在に軸支される。回動レバー３６の両端部には、長孔３６ｂ及び３６ｃが形成される。長孔３６ｂには、灰皿２１側のピン２６が挿通される。長孔３６ｃには、ゴミ回収用レバー２７側のピン２８が挿通される。ピン２８は、バネ３２により上方向に付勢される。ガイドレール２９は、ゴミ回収用レバー２７のレバー本体２７ａを上下方向に案内する。ゴミ回収用レバー２７の操作片２７ｂを押圧操作することより、灰皿２１は使用位置からゴミ回収位置へと回転する。そして、押圧操作を解除することにより、灰皿２１はゴミ回収位置から使用位置へと回転する。【選択図】図４
2007185245.tif 000002
【特許請求の範囲】
【請求項１】
遊技機本体の前面で略水平に軸支された灰皿を有し、前記灰皿は、略水平な状態が保持される使用位置と奥側の端部が手前側に跳ね上げられるゴミ回収位置との間で回動する遊技機において、
前記灰皿を前記使用位置から前記ゴミ回収位置へと回動させる際に操作される操作レバーと、
前記操作レバーの操作が解除されたときに、前記操作レバーを操作前の位置に復帰させる復帰手段と、
前記操作レバーの操作に連動して、前記使用位置にある灰皿を前記ゴミ回収位置に向けて回動させるとともに、前記操作レバーの操作が解除されたときに、前記復帰手段によって前記操作前の位置に復帰する前記操作レバーに連動して、前記ゴミ回収位置にある灰皿を前記使用位置に向けて回動させる連動機構と、を備えることを特徴とする遊技機。
【請求項２】
前記連動機構は、
前記遊技機本体に軸支され、両端部に長孔がそれぞれ形成される回動レバーと、
前記操作レバーに設けられ、前記回動レバーの一方の長孔に挿通されるレバー側ピンと、
前記灰皿に設けられ、前記回動レバーの他方の長孔に挿通される灰皿側ピンと、から構成され、
前記操作レバーの操作により、前記レバー側ピンが、このレバー側ピンが挿通される前記回動レバーの一方の長孔の内壁を押圧しながら摺動することで前記回動レバーを回動させ、前記回動レバーの回動時に、前記回動レバーの他方の長孔の内壁が、この他方の長孔内に挿通された前記灰皿側ピンを押圧することを特徴とする請求項１記載の遊技機。
【請求項３】
前記操作レバーは、
前記遊技機本体に組み込まれるレバー本体と、
前記レバー本体に組み付けられ、前記遊技機本体から突出した状態と前記遊技機本体に収納される状態との間で回動自在な操作片と、から構成されることを特徴とする請求項１または２記載の遊技機。
【発明の詳細な説明】
【技術分野】
【０００１】
本発明は、パチンコ店などの遊技場に設置して利用される遊技機に関するものである。
【背景技術】
【０００２】
パチンコ機や、スロットマシンなどの遊技機は、例えばパチンコ店等の遊技場の島設備に複数設置されている。このような遊技場に来店し遊技を行う遊技者には、煙草を吸いながら遊技を行う遊技者が多い。そこで、遊技場では、遊技場の島設備に灰皿を設置したり、灰皿を予め筐体に組み込んである遊技機を島設備に設置したりしている。
【０００３】
遊技機に設置される灰皿は、通常灰受け部が上面に位置する使用位置に保持されており、清掃時には灰皿を回転させることにより、吸殻等のゴミを回収する。このため、例えば遊技を終了して席を立つ場合、あるいは、払い出された遊技媒体が回収された専用の収納箱などを遊技者が持ち上げた場合に、灰皿を使用位置から誤って回転させてしまうことがある。このような場合には、遊技者自身、又は、遊技者の隣で遊技を行っている遊技者にゴミがかかったり、遊技場の床面にゴミを飛散させてしまうなどの問題がある。
【０００４】
このような問題を解決する方法として、特許文献１において、灰受け部が上面に位置する使用位置と、灰受け部が底面に位置する使用不可位置との間で回転可能な灰皿を有する遊技機であって、前記使用位置と前記使用不可位置とのいずれかの位置において、灰皿に設けられた挿通孔にソレノイドの駆動鉄芯等を挿入させることで、前記灰皿を固定する固定装置を備えた遊技機が提供されている。
【特許文献１】特開２００５−２１５１２号公報
【発明の開示】
【発明が解決しようとする課題】
【０００５】
しかしながら、特許文献１記載の固定装置を取り付けた場合には、前面扉を施錠する施錠装置のシリンダに鍵を差し込んで、施錠装置による施錠を解除する方向とは逆に回転させる等、固定装置による灰皿の固定を解除させる動作も必要である。遊技場には数多くの遊技機が設置されているため、このような構成にした場合には、ゴミの回収に時間がかかるという問題がある。
【０００６】
本発明は、誤って灰皿が回転することを防止し、且つゴミを回収する際には灰皿を容易に回転させる機構を備えた遊技機を提供することを目的とする。
【課題を解決するための手段】
【０００７】
上記課題を解決するために、本発明は、遊技機本体の前面で略水平に軸支された灰皿を有し、前記灰皿は、略水平な状態が保持される使用位置と奥側の端部が手前側に跳ね上げられるゴミ回収位置との間で回動する遊技機において、前記灰皿を前記使用位置から前記ゴミ回収位置へと回動させる際に操作される操作レバーと、前記操作レバーの操作が解除されたときに、前記操作レバーを操作前の位置に復帰させる復帰手段と、前記操作レバーの操作に連動して、前記使用位置にある灰皿を前記ゴミ回収位置に向けて回動させるとともに、前記操作レバーの操作が解除されたときに、前記復帰手段によって前記操作前の位置に復帰する前記操作レバーに連動して、前記ゴミ回収位置にある灰皿を前記使用位置に向けて回動させる連動機構と、を備えることを特徴とする。
【０００８】
前記連動機構は、記遊技機本体に軸支され、両端部に長孔がそれぞれ形成される回動レバーと、前記操作レバーに設けられ、前記回動レバーの一方の長孔に挿通されるレバー側ピンと、前記灰皿に設けられ、前記回動レバーの他方の長孔に挿通される灰皿側ピンと、から構成され、前記操作レバーの操作により、前記レバー側ピンが、このレバー側ピンが挿通される前記回動レバーの一方の長孔の内壁を押圧しながら摺動することで前記回動レバーを回動させ、前記回動レバーの回動時に、前記回動レバーの他方の長孔の内壁が、この他方の長孔内に挿通された前記灰皿側ピンを押圧することが好ましい。
【０００９】
前記操作レバーは、前記遊技機本体に組み込まれるレバー本体と、前記レバー本体に組み付けられ、前記遊技機本体から突出した状態と前記遊技機本体に収納される状態との間で回動自在な操作片と、から構成されることが好ましい。
【発明の効果】
【００１０】
本発明によれば、遊技機本体の前面で略水平に軸支された灰皿を有し、前記灰皿は、略水平な状態が保持される使用位置と奥側の端部が手前側に跳ね上げられるゴミ回収位置との間で回動する遊技機において、前記灰皿を前記使用位置から前記ゴミ回収位置へと回動させる際に操作される操作レバーと、前記操作レバーの操作が解除されたときに、前記操作レバーを操作前の位置に復帰させる復帰手段と、前記操作レバーの操作に連動して、前記使用位置にある灰皿を前記ゴミ回収位置に向けて回動させるとともに、前記操作レバーの操作が解除されたときに、前記復帰手段によって前記操作前の位置に復帰する前記操作レバーに連動して、前記ゴミ回収位置にある灰皿を前記使用位置に向けて回動させる連動機構とを備えることにより、遊技者が誤って灰皿を押したとしても、灰皿が容易に回転することがなく、また、ゴミを回収する際には、操作レバーにより灰皿をゴミ回収位置へと容易に回転させることができるため、ゴミの回収を素早く行うことができる。
【００１１】
前記操作レバーは、前記遊技機本体に組み込まれるレバー本体と、前記レバー本体に組み付けられ、前記遊技機本体から突出した状態と前記遊技機本体に収納される状態との間で回動自在な操作片とから構成されることにより、灰皿に溜まったゴミを回収するときにのみ、操作レバーの操作を可能にすることで、例えば遊技者による不必要な操作レバーの操作を防止することができる。
【発明を実施するための最良の形態】
【００１２】
本発明を適用したスロットマシンの構成を示す。なお、スロットマシンに限定する必要はなく、パチンコ機等の遊技機にも本発明の適用が可能である。
【００１３】
図１に示すように、スロットマシン１０は収納箱１１と前面扉１２とからなる筐体１０ａ（遊技機本体）を備えている。前面扉１２には表示窓１３が設けられている。表示窓１３の奥には、例えば３つのリール１４が組み込まれている。リール１４には複数種類の図柄が一定の間隔で配列されている。表示窓１３の下方には、リール１４の回転を開始させるためのスタートレバー１５、回転しているリール１４を停止させるためのストップボタン１６が設けられる。
【００１４】
この前面扉１２の前面であって、その下部には、メダル（図示省略）を貯留する貯留皿１８が設けられている。この貯留皿１８は、例えばメダル貸出機から貸し出されたメダルや、スロットマシン１０で遊技を行って入賞を得た際に、払出口１９から払い出されるメダルが貯留される。この貯留皿１９の側部には、灰皿保持部２０が設けられており、この灰皿保持部２０に灰皿２１が回動自在に組み付けられる。
【００１５】
図２に示すように、灰皿保持部２０は、前面扉１２の前面から突出する皿支持部２２と、この皿支持部２２に対して上方に突出する軸受部２３とを備えている。皿支持部２２は、使用位置にある灰皿２１の底面の後側端縁が当接されることで、灰皿２１を支持する。また、この皿支持部２２は、灰皿２１がゴミ回収位置から使用位置へと回動したときに、灰皿２１の底面の後側端縁が当接されることで、その回動が停止されるストッパとしても機能する。この皿支持部２２の略中央は、灰皿２１の幅、あるいは灰皿２１の幅よりも広い幅で切り欠かれている。皿支持部２２に切り欠かれた部分２２ａを形成することにより、使用位置とゴミ回収位置との間で灰皿２１を回動させることができる。
【００１６】
軸受部２３は、灰皿２１の幅以上の間隔を空けて設けられている。これら軸受部２３は、それぞれの軸受部２３に形成される軸受孔２３ａがそれぞれ同軸となるように、設けられている。これら軸受孔２３ａには、後述する灰皿２１の回動軸２５がそれぞれ挿入されることにより、灰皿２１を回動自在に保持する。
【００１７】
灰皿２１は、上面が開口された箱形状からなり、その開口された部分が灰受け部２１ａとなる。この灰皿２１の前面の上端部であって、その略中央には円弧形状に切り欠かれた溝２１ｂが形成されている。この溝２１ｂは、例えば灰皿２１に置かれた煙草を支持するために設けられている。この灰皿２１の両側面２１ｃ，２１ｄであって、灰皿２１の前面側には、それぞれ回動軸２５が同軸となるように突設されている。これら回動軸２５は、それぞれ軸受孔２３ａに挿入される。
【００１８】
灰皿２１の側面２１ｃであって、その後側端部には、ピン２６が突設されている。このピン２６は、ピン本体２６ａと、このピン本体２６ａの径よりも小さい組み付け部２６ｂとから構成されている。組み付け部２６ｂは、後述する回動レバー３６の長孔３６ｂに挿通される。なお、ピン２６にはネジ孔２６ｃが形成されている。
【００１９】
図２及び図３に示すように、前面扉１２の側面には、ゴミ回収用レバー（操作レバー）２７が設けられている。このゴミ回収用レバー２７は、レバー本体２７ａと、操作片２７ｂとから構成されている。レバー本体２７ａは、前面扉１２の内部に収納されて、レバー本体２７ａの下端部は、ガイドレール２９によって保持されている。このレバー本体２７ａの後面には、ピン２８が突設している。このピン２８は、ピン本体２８ａと、このピン本体２８ａよりも径の小さい組み付け部２８ｂとから構成されている。この組み付け部２８ｂは、後述する回動レバー３６の長孔３６ｃに挿通される。なお、ピン２８にはネジ孔２８ｃが形成されている。このレバー本体２７ａの下端部には、蛇腹形状の伸縮部材３０が組み付けられている。この伸縮部材３０は、前面扉１２に形成されるガイド孔１２ａの一部を前面扉１２の内側から遮蔽するために設けられている。なお、伸縮部材３０を設ける代わりに、ガイド孔を操作片２７ａが移動する範囲のみに形成してもよい。
【００２０】
操作片２７ｂは、レバー本体２７ａに対して突設しており、ガイド孔１２ａから前面扉１２の外部に突出している。この操作片２７ｂは、通常は図２に示すような位置（操作前の位置）に保持されており、灰皿２１に溜まった吸殻等を回収する際に、操作片２７ｂに対して押圧操作がなされる。
【００２１】
ガイドレール２９は、前面扉１２の内部であって、ガイド孔１２ａに沿って取り付けられている。このガイドレール２９は、レバー本体２７ａの幅方向の端部が挿入されて、ゴミ回収用レバー２７を上下方向に案内する。
【００２２】
巻きバネ３２は、その巻き掛け部３２ａが前面扉１２に突設されたピン３３に組み付けられる。この巻きバネ３２の一端は、前面扉１２に突設されたピン３４に巻き掛けられ、その他端は、ゴミ回収用レバー２７のピン２８に当接されている。これにより、ゴミ回収用レバー２７が巻きバネ３２の付勢力を受けて、図２に示す位置（操作前の位置）に保持される。
【００２３】
次に、灰皿２１とゴミ回収用レバー２７とを連動させる連動機構３５について説明する。連動機構３５は、灰皿２１のピン２６と、ゴミ回収用レバー２７のピン２８と、これらピン２６，２８が連結される回動レバー３６とから構成される。なお、連動機構３５としては、本実施形態に限定する必要はなく、例えば、複数のリンク機構を組み合わせた連動機構、ギア機構を用いた連動機構、又はリンク機構とギア機構を組み合わせた連動機構を用いてもよい。
【００２４】
回動レバー３６は、前面扉１２に対して回動自在に組み付けられる。この回動レバー３６の一端部は灰皿２１と、その他端部はゴミ回収用レバー２７とそれぞれ連結していることで、ゴミ回収用レバー２７の押圧操作時に、灰皿２１を使用位置からゴミ回収位置へと回動させることができる。
【００２５】
この回動レバー３６は長板形状からなり、その長手方向の中心には挿通孔３６ａが形成されている。この挿通孔３６ａには、前面扉１２に突設されたピン３７の組み付け部３７ａが挿入される。なお、ピン３７にはネジ孔３７ｂが形成される。この回動レバー３６は、組み付け部３７ａを挿通孔３６ａに挿通した後に、ネジ３９をネジ孔３７ｂに螺合させることにより、回動レバー３６がピン３７に回転自在に組み付けられる。
【００２６】
この回動レバー３６の両端部には、長孔３６ｂ，３６ｃがそれぞれ形成されている。長孔３６ｂには、ピン２６の組み付け部２６ｂが挿通される。この長孔３６ｂに組み付け部２６ｂを挿通させた後に、ネジ４０をピン２６のネジ孔２６ｃに螺合させることにより、灰皿２１と回動レバー３６とが連結される。また、長孔３６ｃには、ピン２８の組み付け部２８ｂが挿通される。この長孔３６ｃに組み付け部２８ｂを挿通させた後に、ネジ４１をピン２８のネジ孔２８ｃに螺合させることにより、ゴミ回収用レバー２７と回動レバー３６とが連結される。図２に示す開口１２ｂは、回動レバー３６の一部をスロットマシン１０の外部に露呈させる。なお、いたずら等を防止するために、前面扉１２に開口１２ｂ及び回動レバー３６を覆い隠すカバーを設けてもよい。
【００２７】
次に、本発明の作用について説明する。図４に示すように、ゴミ回収用レバー２７は、巻きバネ３２によりピン２８が上方向に付勢されてガイド孔１２ａの長手方向における所定の位置（操作前の位置）に、保持された状態にある。すなわち、巻きバネ３２は、ゴミ回収用レバー２７を操作前の位置に保持する付勢力を有している。ゴミ回収用レバー２７が操作前の位置にあるときに、灰皿２１は使用位置にあり、灰皿保持部２０の皿支持部２２により支持されるとともに、回動レバー３６により係止される。ゆえに、灰皿２１がこのような状態で使用位置に保持されることによって、遊技者により誤って灰皿２１を回転させることがない。
【００２８】
図４及び図５に示すように、ゴミ回収用レバー２７の操作片２７ｂに対して押圧操作がなされると、レバー本体２７ａがガイドレール２９に案内されて下方向（Ａ方向）に移動する。このレバー本体２７ａの移動に連係して、伸縮部材３０が縮むとともに、ピン２８が長孔３６ｃの内壁を押圧する。このピン２８の押圧により回動レバー３６が反時計回り（Ｂ方向）に回転する。このとき、ピン２８が下方向（Ａ方向）に移動するために、ピン２８は長孔３６ｃ内を摺動し、長孔３６ｃ内におけるピン２８の位置はピン３７に接近する位置へと変化する。そして、回動レバー３６の回転により、長孔３６ｂの内壁がピン２６を押圧することによって、このピン２６を有する灰皿２１が時計回り（Ｃ方向）に回転する。このとき、ピン２６が時計回り（Ｃ方向）に回転するために、ピン２６は長孔３６ｂ内を摺動し、長孔３６ｂ内におけるピン２６の位置はピン３７に接近する位置へと変化する。
【００２９】
図５は、長孔３６ｂ，３６ｃ内におけるピン２６，２８の位置がピン３７に最も接近する位置を示している。この状態からさらに操作片２７ｂを押圧すると、ピン２６，２８は長孔３６ｂ，３６ｃ内を摺動し、長孔３６ｂ，３６ｃ内におけるピン２６，２８の位置はピン３７から離れる位置に変化する。図６は、操作片２７ｂを最大限押圧できるゴミ回収用レバー２７の位置を示しており、ゴミ回収用レバー２７がこの位置にあるときに、灰皿２１はゴミ回収位置にある。
【００３０】
図７に示すように、操作片２７ｂに対する押圧を解除すると、巻きバネ３２の付勢力によりピン２８が上方向（Ｄ方向）に押し上げられ、レバー本体２７ａがガイドレール２９に案内されながら上方向（Ｄ方向）に移動する。このレバー本体２７ａの上方向（Ｄ方向）の移動に連係して、ピン２８が長孔３６ｃの内壁を押圧し、回動レバー３６を時計回り（Ｅ方向）に回転させる。同時に、ピン２８が長孔３６ｃ内を摺動する。この回動レバー３６の時計回り（Ｅ方向）への回転により、長孔３６ｂの内壁がピン２６を押圧し、ピン２６を有する灰皿２１がゴミ回収位置から反時計回り（Ｆ方向）に回転する。同時に、ピン２６は長孔３６ｂ内を摺動する。レバー本体２７ａが、すなわちゴミ回収用レバー２７が操作前の位置まで復帰すると、灰皿２１の回転は皿支持部２２により止められるとともに、灰皿２１は、回動レバー３６により係止されて、使用位置に保持される。
【００３１】
なお、本実施形態では、灰皿２１の側面２１ｃに突設したピン２６に回動レバー３６を組み付けて、灰皿２１を回転させたが、灰皿２１の両側面２１ｃ，２１ｄにそれぞれピンを突設させて、両方のピンにそれぞれ回動レバーを組み付けて、灰皿２１を回転させてもよい。また、本実施形態では、操作片２７ｂを前面扉１２の側面に対して上下方向（Ａ方向及びＤ方向）に移動させることにより、灰皿２１を回転させる構造としたが、操作片２７ｂを前面扉１２の側面に対して左右方向に移動させることにより、灰皿２１を回転させる構造としてもよい。
【００３２】
また、図８に示すように、巻きバネ３２に代えて、前面扉１２の側面に設けた係止片５０と、操作片２７ｂに設けた係止片５１との間にコイルバネ５２を取り付けて、ゴミ回収用レバー２７を上方向に付勢してもよい。また、伸縮部材３０の代わりに、ガイド孔を操作片２７ａが移動する範囲のみに形成した場合には、巻きバネ３２に代えて、伸縮部材３０の位置にコイルバネを設けてよい。
【００３３】
また、本実施形態では、操作片２７ｂをレバー本体２７ａに突設させたが、図９に示すように、不必要な操作を防止するために、操作片２７ｂに代えて、前面扉１２に形成されたガイド孔１２ｃから突出する状態と前面扉１２内に収納される状態との間で回動自在な操作片５５を取り付けてもよい。レバー本体５６は、本実施形態と同様に、巻きバネ（図示省略）によりレバー本体５６から突設されたピン（図示省略）が上方向に付勢されて、ガイド孔１２ｃの長手方向における操作前の位置に、保持された状態にある。操作片５５は、レバー本体５６とヒンジ５７を介して取り付けられており、図９（ａ）はガイド孔１２ｃから突出する状態を、図９（ｂ）は前面扉１２内に収納される状態を示している。ガイド孔１２ｃは、本実施形態におけるガイド孔１２ａと比較して、操作片５５のサイズに対応させて大きく形成させている。また、操作片５５をガイド孔１２ｃから取り出しやすいように、ガイド孔１２ｃの上端には取出溝１２ｄが形成されている。
【図面の簡単な説明】
【００３４】
【図１】本発明を適用したスロットマシンを示す斜視図である。
【図２】灰皿保持部及びその周辺を示す斜視図である。
【図３】分解した状態の連動機構及びその周辺を示す斜視図である。
【図４】灰皿が使用位置にある状態を示す側面図である。
【図５】使用位置からゴミ回収位置へと回転する灰皿の遷移状態を示す側面図である。
【図６】灰皿がゴミ回収位置にある状態を示す側面図である。
【図７】ゴミ回収位置から使用位置へと回転する灰皿の遷移状態を示す側面図である。
【図８】コイルバネをゴミ回収用レバーに取り付けた状態を示す斜視図である。
【図９】操作片が取り付けられたゴミ回収用レバーの一部を示す斜視図である。
【符号の説明】
【００３５】
１０  スロットマシン
１０ａ  筐体
１２  前面扉
２０  灰皿保持部
２１  灰皿
２６  ピン（灰皿側ピン）
２７  ゴミ回収用レバー（操作レバー）
２７ａ  レバー本体
２７ｂ  操作片
２８  ピン（レバー側ピン）
２９  ガイドレール
３２  巻きバネ（復帰手段）
３５  連動機構
３６  回動レバー
４２  バネ
５２  コイルバネ（復帰手段）
５５  操作片
【図１】
2007185245.tif 000003
【図２】
2007185245.tif 000004
【図３】
2007185245.tif 000005
【図４】
2007185245.tif 000006
【図５】
2007185245.tif 000007
【図６】
2007185245.tif 000008
【図７】
2007185245.tif 000009
【図８】
2007185245.tif 000010
【図９】
2007185245.tif 000011